(57)【要約】【課題】スパンバイスパン工法により多径間連続橋を架設する橋梁の架設方法において、工期短縮および施工コスト低減を図る。【解決手段】各径間に架設される橋桁１２の構造を、複数の箱桁コア部１４が橋軸直交方向に所定間隔をおいて配置されてなる多主桁箱桁構造に設定しておく。その上で、架設径間Ｓ０の後方に位置する既設橋桁上において、１本分の箱桁コア部１４を構成する複数のコアセグメント２４を橋軸方向に互いに隣接するように配置し、これらに橋軸方向のプレストレスを導入することにより箱桁コア部１４を組み立てた後、この箱桁コア部１４を架設径間Ｓ０へ移動させて、該架設径間Ｓ０を跨ぐように設置された架設用ガーダ１１０に吊り込む。そして、この架設用ガーダ１１０に吊り込まれた箱桁コア部１４を、架設径間Ｓ０の橋軸方向両側に位置する１対の橋脚３２上に吊り下ろし、これを必要に応じて橋軸直交方向に所定位置まで移動させる。【選択図】図６
2008297777.tif 000002
【特許請求の範囲】
【請求項１】
複数のプレキャストセグメントを橋軸方向に互いに隣接するように配置し、これら複数のプレキャストセグメントに橋軸方向のプレストレスを導入して一体化することにより、１径間分の橋桁を架設し、これを複数の径間に対して順次繰り返すことにより多径間連続橋を架設する、橋梁の架設方法において、
上記各径間に架設される橋桁の構造を、複数の箱桁コア部が橋軸直交方向に所定間隔をおいて配置されてなる多主桁箱桁構造に設定しておき、
架設径間の後方に位置する既設橋桁上において、１本分の箱桁コア部を構成する複数のコアセグメントを橋軸方向に互いに隣接するように配置し、これら複数のコアセグメントに橋軸方向のプレストレスを導入することにより箱桁コア部を組み立てた後、
この箱桁コア部を、上記架設径間へ移動させて、該架設径間を跨ぐように設置された架設用ガーダに吊り込み、
この架設用ガーダに吊り込まれた箱桁コア部を、上記架設径間の橋軸方向両側に位置する１対の橋脚上に吊り下ろし、
その後、この吊り下ろされた箱桁コア部を、必要に応じて橋軸直交方向に所定位置まで移動させる、ことを特徴とする橋梁の架設方法。
【請求項２】
上記橋桁における床版の施工を、上記架設径間よりも後方側の径間において行い、
その際、上記床版の上記箱桁コア部相互間に位置する部分の施工を、これら箱桁コア部間に複数のプレキャスト板を架け渡した状態で、これらプレキャスト板の上にコンクリートを打設することにより行う、ことを特徴とする請求項１記載の橋梁の架設方法。
【請求項３】
上記箱桁コア部の上記架設径間への移動を、既設の箱桁コア部の上面に敷設されたレール上を走行する台車に、上記箱桁コア部を載置した状態で行う、ことを特徴とする請求項１または２記載の橋梁の架設方法。
【請求項４】
上記架設径間の橋軸方向両側に位置する１対の橋脚の各々の上面に、上記橋桁の橋軸方向端部を構成する柱頭部セグメントを、該柱頭部セグメントにおけるコアセグメント相互間に横桁が形成されるようにして、それぞれ先行施工しておき、
上記架設用ガーダのガーダ本体を支持する複数対の支柱の各々を、上記各柱頭部セグメントにおいて互いに隣接する１対の横桁の上方に位置する床版部分に設置する、ことを特徴とする請求項１〜３いずれか記載の橋梁の架設方法。
【発明の詳細な説明】
【技術分野】
【０００１】
本願発明は、いわゆるスパンバイスパン工法により多径間連続橋を架設する、橋梁の架設方法に関するものである。
【背景技術】
【０００２】
従来より、多径間連続橋を架設する方法の１つとして、スパンバイスパン工法が知られている。
【０００３】
このスパンバイスパン工法においては、例えば「特許文献１」に記載されているように、複数のプレキャストセグメントを橋軸方向に互いに隣接するように配置し、これら複数のプレキャストセグメントに橋軸方向のプレストレスを導入して一体化することにより、１径間分の橋桁を架設し、これを複数の径間に対して順次繰り返すことにより多径間連続橋を架設するようになっている。
【０００４】
このようなスパンバイスパン工法を、多主桁箱桁構造を有する橋桁に適用する場合には、従来、図９に示すような施工手順で、その架設作業が行われている。
【０００５】
すなわち、まず、同図（ａ）に示すように、架設径間を跨ぐようにして設置された架設用ガーダ１００に、複数の箱桁セグメント２を順次吊り下げて、これらを橋軸方向に互いに隣接するように配置し、そして、同図（ｂ）に示すように、主桁１本分の箱桁セグメント２をすべて吊り下げて、これらを互いに密着させた状態で、同図（ｃ）に示すように、橋軸方向両端部の目地４にコンクリートを打設した後、これら複数の箱桁セグメント２に橋軸方向のプレストレスを導入して一体化することにより、１つの主桁６について架設を完了させ、その後、同図（ｄ）に示すように、架設用ガーダ１００を橋軸直交方向に移動させて、他の主桁についても同様の手順で架設を行うようになっている。
【０００６】
【特許文献１】特開平８−１３４８４５号公報
【発明の開示】
【発明が解決しようとする課題】
【０００７】
しかしながら、上記従来のスパンバイスパン工法により多主桁箱桁構造を有する橋桁の架設を行う場合には、架設用ガーダが１基であれば、架設径間において、複数の主桁の各々について、複数の箱桁セグメントの吊下げ、目地打設およびプレストレス導入を行う必要があり、しかも、１つの主桁の施工が完了する度に架設用ガーダを橋軸直交方向に移動させる必要があり、このため架設工期が非常に長くなってしまう、という問題がある。
【０００８】
一方、この場合において、複数の架設用ガーダを用いるようにすれば、ある程度の工期短縮を図ることが可能となるが、大幅な工期短縮を図ることはできず、また施工コストが高くなってしまう、という問題がある。
【０００９】
本願発明は、このような事情に鑑みてなされたものであって、スパンバイスパン工法により多径間連続橋を架設する橋梁の架設方法において、工期短縮および施工コスト低減を図ることができる橋梁の架設方法を提供することを目的とするものである。
【課題を解決するための手段】
【００１０】
本願発明は、橋桁の構造を、所定の多主桁箱桁構造に設定した上で、架設工程を複数の径間に分散させて同時進行で施工を行い得る構成とすることにより、上記目的達成を図るようにしたものである。
【００１１】
すなわち、本願発明に係る橋梁の架設方法は、
複数のプレキャストセグメントを橋軸方向に互いに隣接するように配置し、これら複数のプレキャストセグメントに橋軸方向のプレストレスを導入して一体化することにより、１径間分の橋桁を架設し、これを複数の径間に対して順次繰り返すことにより多径間連続橋を架設する、橋梁の架設方法において、
上記各径間に架設される橋桁の構造を、複数の箱桁コア部が橋軸直交方向に所定間隔をおいて配置されてなる多主桁箱桁構造に設定しておき、
架設径間の後方に位置する既設橋桁上において、１本分の箱桁コア部を構成する複数のコアセグメントを橋軸方向に互いに隣接するように配置し、これら複数のコアセグメントに橋軸方向のプレストレスを導入することにより箱桁コア部を組み立てた後、
この箱桁コア部を、上記架設径間へ移動させて、該架設径間を跨ぐように設置された架設用ガーダに吊り込み、
この架設用ガーダに吊り込まれた箱桁コア部を、上記架設径間の橋軸方向両側に位置する１対の橋脚上に吊り下ろし、
その後、この吊り下ろされた箱桁コア部を、必要に応じて橋軸直交方向に所定位置まで移動させる、ことを特徴とするものである。
【００１２】
上記「箱桁コア部」とは、箱桁において箱形断面を囲む部分（すなわち張出し床版を含まない部分）を意味するものである。
【００１３】
上記「箱桁コア部を組み立て」る際に導入されるプレストレスは、架設用ガーダへの吊り込みから橋軸直交方向への移動までの間、箱桁コア部を組立状態に維持しておくことが可能な大きさのプレストレスであれば、その具体的な大きさは特に限定されるものではない。
【００１４】
上記「箱桁コア部」を架設径間へ移動させる際の具体的な移動方法は特に限定されるものではなく、また、この「箱桁コア部」を架設径間において橋軸直交方向に移動させる際の具体的な移動方法についても特に限定されるものではない。
【発明の効果】
【００１５】
上記構成に示すように、本願発明に係る橋梁の架設方法は、スパンバイスパン工法により多径間連続橋を架設するようになっているが、各径間に架設される橋桁の構造を、複数の箱桁コア部が橋軸直交方向に所定間隔をおいて配置されてなる多主桁箱桁構造に設定した上で、架設径間の後方に位置する既設橋桁上において、１本分の箱桁コア部を構成する複数のコアセグメントを橋軸方向に互いに隣接するように配置し、これら複数のコアセグメントに橋軸方向のプレストレスを導入することにより箱桁コア部を組み立てた後、この箱桁コア部を架設径間へ移動させて、該架設径間を跨ぐように設置された架設用ガーダに吊り込み、この架設用ガーダに吊り込まれた箱桁コア部を、架設径間の橋軸方向両側に位置する１対の橋脚上に吊り下ろし、その後、この吊り下ろされた箱桁コア部を、必要に応じて橋軸直交方向に所定位置まで移動させるようになっているので、次のような作用効果を得ることができる。
【００１６】
すなわち、架設径間の後方に位置する既設橋桁上における箱桁コア部の組立作業と、この組立てが行われた箱桁コア部の架設径間における設置作業と、この架設径間の後方側の径間における床版施工作業とを、並行して行うことが可能となり、これにより従来のスパンバイスパン工法に比して工期を大幅に短縮することができる。
【００１７】
しかも、本願発明において用いられる架設用ガーダは、従来のように多主桁箱桁構造を構成する各箱桁の全体ではなく、その箱桁コア部のみを吊り込むことができれば足りるので、従来のスパンバイスパン工法（図９参照）のように、架設径間の後方に位置する既設橋桁上から供給される箱桁セグメントを、架設用ガーダの支柱間を通すために横向きにする必要がなく、したがって架設用ガーダに吊り込んだ箱桁セグメントを９０°回転させる必要もなくなる。このため、架設用ガーダの構成を簡素化することができるとともに施工性を一層向上させることができる。
【００１８】
また本願発明においては、架設用ガーダを橋軸直交方向へ移動させる必要がないので、この点においても架設用ガーダの構成を簡素化することができ、これにより施工コスト低減を図ることができる。
【００１９】
このように本願発明によれば、スパンバイスパン工法により多径間連続橋を架設する橋梁の架設方法において、工期短縮および施工コスト低減を図ることができる。
【００２０】
上述したように本願発明においては、橋桁における床版の施工を、架設径間よりも後方側の径間において行うことが可能となるが、その際、床版の箱桁コア部相互間に位置する部分の施工を、これら箱桁コア部間に複数のプレキャスト板を架け渡した状態で、これらプレキャスト板の上にコンクリートを打設することにより行うようにすれば、床版の施工を効率的に行うことができる。そしてこれにより、この床版施工作業を、既設橋桁上における箱桁コア部の組立作業および架設径間における箱桁コア部の設置作業の施工サイクルに適合させることが容易に可能となる。
【００２１】
上記構成において、箱桁コア部の架設径間への移動方法が特に限定されないことは上述したとおりであるが、この移動を、既設の箱桁コア部の上面に敷設されたレール上を走行する台車に、箱桁コア部を載置した状態で行うようにすれば、箱桁コア部の移動を効率良くかつ確実に行うことができる。
【００２２】
上記構成において、架設径間の橋軸方向両側に位置する１対の橋脚の各々の上面に、橋桁の橋軸方向端部を構成する柱頭部セグメントを、そのコアセグメント相互間に横桁が形成されるようにして、それぞれ先行施工しておき、そして、架設用ガーダのガーダ本体を支持する支持する複数対の支柱の各々を、各柱頭部セグメントにおいて互いに隣接する１対の横桁の上方に位置する床版部分に設置するようにすれば、新たな支持構造を設けなくても、架設用ガーダの支持を安定的に行うことが可能となる。また、このような構成を採用することにより、架設用ガーダにおける橋軸直交方向の支柱間隔を狭くすることができるので、箱桁コア部の吊り込みに必要な架設用ガーダの強度を容易に確保することができ、これにより架設用ガーダの構成を一層簡素化することができる。
【００２３】
なお、このように架設用ガーダの支柱間隔を狭くしても、この架設用ガーダは箱桁全体ではなくその箱桁コア部のみを吊り込むことができれば足りるので、その吊込み作業を何ら支障なく行うことが可能である。
【発明を実施するための最良の形態】
【００２４】
以下、図面を用いて、本願発明の実施の形態について説明する。
【００２５】
図１は、本願発明の一実施形態に係る橋梁の架設方法の概要を示す工程図であって、架設途中の多径間連続橋１０を橋軸直交方向から見て示す側面図である。
【００２６】
また、図２、３は、この架設途中の多径間連続橋１０を橋軸直交断面で示す図であって、図２（ａ）が図１のIIa-IIa
線断面図、図２（ｂ）が図１のIIb-IIb 線断面図、図２（ｃ）が図１のIIc-IIc 線断面図であり、図３が、図１のIII-III 線断面図である。そして、図４は、図３のIV方向矢視図である。
【００２７】
さらに、図５〜８は、図１の（ａ）〜（ｄ）の各々の工程を示す斜視図である。
【００２８】
これらの図に示すように、本実施形態においては、スパンバイスパン工法により多径間連続橋１０を架設するようになっている。
【００２９】
本実施形態の架設方法について説明する前に、その架設対象となる多径間連続橋１０の構成について説明する。
【００３０】
この多径間連続橋１０は、各径間の支間長が４０ｍ程度の連続橋であって、その各径間に架設される橋桁１２の構造として、複数（具体的には４つ）の箱桁コア部１４が橋軸直交方向に所定間隔をおいて配置されてなる多主桁箱桁構造が採用されている。
【００３１】
図２に示すように、この橋桁１２においては、その４つの箱桁コア部１４により床版の一部が構成されている。すなわち、これら各箱桁コア部１４相互間の上端部に、中間床版１６が各箱桁コア部１４と面一で形成されるとともに、橋軸直交方向両側に位置する各箱桁コア部１４の橋軸直交方向外側の上端部に、張出し床版１８が各箱桁コア部１４と面一で形成されている。その際、中間床版１６の施工は、互いに隣接する１対の箱桁コア部１４間に複数のプレキャスト板２０を架け渡した状態で、これらプレキャスト板２０の上にコンクリート２２を打設することにより行われている。一方、張出し床版１８は、場所打ちでコンクリートを打設することにより行われている。
【００３２】
また、図３、４に示すように、多径間連続橋１０における各橋脚３０上には、橋桁１２の橋軸方向端部を構成する柱頭部セグメント３２が、支承５０を介して配置されている。この柱頭部セグメント３２は、４つの箱桁コア部１４の各々に対応する位置に形成された箱形断面形状を有するコアセグメント３４と、これら各コアセグメント３４相互間に形成された横桁３６と、これら各コアセグメント３４相互間において横桁３６の上端部に、これら各コアセグメント３４と面一で形成された中間床版３８と、橋軸直交方向両側に位置する各コアセグメント３４の橋軸直交方向外側の上端部に、これら各コアセグメント３４と面一で形成された張出し床版４０とからなっている。
【００３３】
以下の説明において、４つの箱桁コア部１４を区別する必要がある場合には、これら各箱桁コア部１４を、図２において左側から順に、箱桁コア部１４Ａ、１４Ｂ、１４Ｃ、１４Ｄと称することとする。
【００３４】
本実施形態においては、これら４つの箱桁コア部１４を、箱桁コア部１４Ａ、１４Ｂ、１４Ｄ、１４Ｃの順で架設するようになっている。なお、箱桁コア部１４Ｂと箱桁コア部１４Ｄとの架設順序を入れ替えるようにしてもよい。
【００３５】
まず、１番目に架設される箱桁コア部１４Ａについて、その架設工程の概要を説明する。
【００３６】
図１（ａ）および図５に示すように、架設径間Ｓ０の後方に位置する既設橋桁上において、１本分の箱桁コア部１４Ａを構成する複数（具体的には１２個）のコアセグメント２４を橋軸方向に互いに隣接するように配置し、接着剤を介して互いに密着させた後、これら複数のコアセグメント２４に橋軸方向のプレストレスを導入することにより箱桁コア部１４Ａを組み立てる。このプレストレス導入は、これら複数のコアセグメント２４に対して、橋軸方向に延びる内ケーブル（図示せず）を配置し、この内ケーブルを緊張することにより行う。
【００３７】
そして、この箱桁コア部１４Ａを、架設径間Ｓ０へ移動させて、この架設径間Ｓ０を跨ぐように設置された架設用ガーダ１１０に吊り込む。その後、この架設用ガーダ１１０に吊り込まれた箱桁コア部１４Ａを、架設径間Ｓ０の橋軸方向両側に位置する１対の橋脚３０上に吊り下ろし、この吊り下ろされた箱桁コア部１４Ａを、橋軸直交方向に所定位置（すなわち図３において左から１番目の位置）まで移動させる。
【００３８】
この箱桁コア部１４Ａの移動および架設を行うのと並行して、架設径間Ｓ０の後方に位置する既設橋桁上では、複数のコアセグメント２４を配置して、２番目に架設される箱桁コア部１４Ｂの組立てを行う。
【００３９】
図１（ｂ）および図６に示すように、この２番目に架設される箱桁コア部１４Ｂについても、箱桁コア部１４Ａと同様にして、その組立て、移動および架設を行う。
【００４０】
以下、同様にして、３番目、４番目に架設される箱桁コア部１４Ｄ、１４Ｃについても、箱桁コア部１４Ａと同様にして、その組立て、移動および架設を行う。
【００４１】
上記架設工程において、各箱桁コア部１４の架設径間Ｓ０への移動は、架設径間Ｓ０の後方側に敷設されたレール１１２上を走行する前後１対の台車１１４に箱桁コア部１４を載置した状態で行う。その際、このレール１１２は、既設橋桁上における箱桁コア部１４Ｃの位置から架設径間Ｓ０の後方側に隣接する後方側径間Ｓ−１に架設された箱桁コア部１４Ｃの上面の前端位置まで延びるように敷設しておく。
【００４２】
また、上記架設工程において、架設径間Ｓ０の後方に位置する既設橋桁上における箱桁コア部１４の組立ては、レール１１２を覆うようにして既設橋桁上に固定設置された架台１１６上において行う。
【００４３】
上記架設工程において、架設径間Ｓ０の橋軸方向両側に位置する１対の橋脚３０上に吊り下ろされた箱桁コア部１４の橋軸直交方向への移動を円滑に行い得るようにするため、図３、４に示すように、これら各橋脚３０の上端面における架設径間Ｓ０側の端部に、橋軸直交方向に延びる仮受け架台１１８を設置しておき、この仮受け架台１１８に箱桁コア部１４を吊り下ろして、この仮受け架台１１８の上面をスライドさせるようにして所定位置まで箱桁コア部１４を移動させる。その際、仮受け架台１１８は、橋脚３０の上端面に設置された橋桁１２の支承５０と略同じ高さになるように調整しておく。また、図５、６に示すように、架設径間Ｓ０における各橋脚３０の近傍には、箱桁コア部１４の吊り下ろしおよび横移動の作業を行うための足場１３０を設置しておく。
【００４４】
なお、箱桁コア部１４Ａ以外に橋軸直交方向への移動が必要となる２つの箱桁コア部１４Ｂ、１４Ｄについては、仮受け架台１１８の上面をスライドさせて、所定位置（すなわち図３において左から２番目、４番目の位置）まで移動させるが、箱桁コア部１４Ｃについては、仮受け架台１１８への吊り下ろしまでを行う。
【００４５】
以上の架設工程により、４つの箱桁コア部１４の架設が完了したら、図１（ｃ）および図７に示すように、架設用ガーダ１１０を架設径間Ｓ０の前方側に隣接する前方側径間Ｓ＋１へ移動させ、この前方側径間Ｓ＋１を新たな架設径間として、４つの箱桁コア部１４について同様の架設を行う。
【００４６】
一方、架設用ガーダ１１０が前方側径間Ｓ＋１へ移動した後の架設径間Ｓ０においては、各箱桁コア部１４の橋軸方向両端部の目地４２にコンクリートを打設した後、これら各箱桁コア部１４を構成する複数のコアセグメント２４に橋軸方向のプレストレスを導入して一体化することにより、各箱桁コア部１４の架設を完了させる。このプレストレス導入は、各箱桁コア部１４に沿って配置された橋軸方向に延びる外ケーブル４４を緊張することにより行う。
【００４７】
また、このとき、後方側径間Ｓ−１においては、中間床版１６の施工の一部として、互いに隣接する１対の箱桁コア部１４間に複数のプレキャスト板２０を架け渡す。
【００４８】
その後、図１（ｄ）および図８に示すように、この後方側径間Ｓ−１において、中間床版１６の施工の残部として、互いに隣接する１対の箱桁コア部１４間に架け渡された複数のプレキャスト板２０の上にコンクリート２２を打設するとともに、橋軸直交方向両側に位置する各箱桁コア部１４の橋軸直交方向外側において、場所打ちで張出し床版１８の施工を行う。
【００４９】
上記架設工程において用いられる架設用ガーダ１１０は、図３に示すように、橋軸方向に延びる１対のガーダ本体１２０と、これら１対のガーダ本体１２０を橋軸方向の２箇所において支持する支柱１２２と、これら１対のガーダ本体１２０の先端部に取り付けられた先端支柱１２４と、橋軸方向の２箇所においてこれら１対のガーダ本体１２０に架け渡された可動梁１２６と、これら各可動梁１２６に上端部が支持された吊り具１２８とからなっている。
【００５０】
そして本実施形態においては、この架設用ガーダ１１０を架設径間Ｓ０を跨ぐように設置する際、その前後１対の支柱１２２の各々を、架設径間Ｓ０の橋軸方向両側に位置する各柱頭部セグメント３２において、箱桁コア部１４Ｃに対応する位置に形成されたコアセグメント３４に隣接する１対の横桁３６の上方に位置する中間床版３８に設置するようにする。
【００５１】
以上詳述したように、本実施形態に係る橋梁の架設方法は、スパンバイスパン工法により多径間連続橋１０を架設するようになっているが、各径間に架設される橋桁１２の構造を、複数の箱桁コア部１４が橋軸直交方向に所定間隔をおいて配置されてなる多主桁箱桁構造に設定した上で、架設径間Ｓ０の後方に位置する既設橋桁上において、１本分の箱桁コア部１４を構成する複数のコアセグメント２４を橋軸方向に互いに隣接するように配置し、これら複数のコアセグメント２４に橋軸方向のプレストレスを導入することにより箱桁コア部１４を組み立てた後、この箱桁コア部１４を架設径間Ｓ０へ移動させて、該架設径間Ｓ０を跨ぐように設置された架設用ガーダ１１０に吊り込み、この架設用ガーダ１１０に吊り込まれた箱桁コア部１４を、架設径間Ｓ０の橋軸方向両側に位置する１対の橋脚上に吊り下ろし、その後、この吊り下ろされた箱桁コア部１４を、必要に応じて橋軸直交方向に所定位置まで移動させるようになっているので、次のような作用効果を得ることができる。
【００５２】
すなわち、架設径間Ｓ０の後方に位置する既設橋桁上における箱桁コア部１４の組立作業と、この組立てが行われた箱桁コア部１４の架設径間Ｓ０における設置作業と、この架設径間Ｓ０の後方側に隣接する後方側径間Ｓ−１における床版施工作業とを、並行して行うことが可能となり、これにより従来のスパンバイスパン工法に比して工期を大幅に短縮することができる。
【００５３】
しかも、本実施形態において用いられる架設用ガーダ１１０は、従来のように多主桁箱桁構造を構成する各箱桁の全体ではなく、その箱桁コア部１４のみを吊り込むことができれば足りるので、従来のスパンバイスパン工法（図９参照）のように、架設径間の後方に位置する既設橋桁上から供給される箱桁セグメントを、架設用ガーダの支柱間を通すために横向きにする必要がなく、したがって架設用ガーダに吊り込んだ箱桁セグメントを９０°回転させる必要もなくなる。このため、架設用ガーダの構成を簡素化することができるとともに施工性を一層向上させることができる。
【００５４】
また本実施形態においては、架設用ガーダ１１０を橋軸直交方向へ移動させる必要がないので、この点においても架設用ガーダ１１０の構成を簡素化することができ、これにより施工コスト低減を図ることができる。
【００５５】
このように本実施形態によれば、スパンバイスパン工法により多径間連続橋１０を架設する橋梁の架設方法において、工期短縮および施工コスト低減を図ることができる。
【００５６】
本実施形態においては、橋桁１２における中間床版１６および張出し床版１８の施工を、後方側径間Ｓ−１において行うようになっているが、その際、箱桁コア部１４相互間に位置する中間床版１６の施工を、これら箱桁コア部１４間に複数のプレキャスト板２０を架け渡した状態で、これらプレキャスト板２０の上にコンクリート２２を打設することにより行うようになっているので、中間床版１６および張出し床版１８の施工を効率的に行うことができる。そしてこれにより、この床版施工作業を、既設橋桁上における箱桁コア部１４の組立作業および架設径間Ｓ０における箱桁コア部１４の設置作業の施工サイクルに適合させることが容易に可能となる。
【００５７】
また本実施形態においては、箱桁コア部１４の架設径間Ｓ０への移動を、既設の箱桁コア部１４Ｃの上面に敷設されたレール１１２上を走行する台車１１４に、箱桁コア部１４を載置した状態で行うようになっているので、箱桁コア部１４の移動を効率良くかつ確実に行うことができる。
【００５８】
さらに本実施形態においては、架設径間Ｓ０の橋軸方向両側に位置する１対の橋脚３０の各々の上面に、橋桁１２の橋軸方向端部を構成する柱頭部セグメント３２を、そのコアセグメント３４相互間に横桁３６が形成されるようにして、それぞれ先行施工しておき、そして、架設用ガーダ１１０を支持する複数対の支柱１２２の各々を、架設径間Ｓ０の橋軸方向両側に位置する各柱頭部セグメント３２において、箱桁コア部１４Ｃに対応する位置に形成されたコアセグメント３４に隣接する１対の横桁３６の上方に位置する中間床版３８に設置するようになっているので、新たな支持構造を設けなくても、架設用ガーダ１１０の支持を安定的に行うことが可能となる。また、このような構成を採用することにより、架設用ガーダ１１０における橋軸直交方向の支柱間隔を狭くすることができるので、箱桁コア部１４の吊り込みに必要な架設用ガーダ１１０の強度を容易に確保することができ、これにより架設用ガーダ１１０の構成を一層簡素化することができる。
【００５９】
なお、このように架設用ガーダ１１０の支柱間隔を狭くしても、この架設用ガーダ１１０は箱桁全体ではなくその箱桁コア部１４のみを吊り込むことができれば足りるので、その吊込み作業を何ら支障なく行うことが可能である。
【００６０】
上記実施形態においては、架設対象となる多径間連続橋１０が、その各径間に架設される橋桁１２として、４つの箱桁コア部１４を備えた構成となっているものとして説明したが、２つまたは３つの箱桁コア部１４を備えた構成となっている場合、あるいは５つ以上の箱桁コア部１４を備えた構成となっている場合においても、上記実施形態と同様の架設方法を採用することにより上記実施形態と同様の作用効果を得ることができる。ただし、箱桁コア部１４が２つの場合には、柱頭部セグメント３２における各コアセグメント３４の両側に横桁３６が形成された構成とはならないので、架設用ガーダ１１０の支柱１２２を設置するための構造を橋脚３０上に新たに設けることが必要となる。
【００６１】
なお、上記実施形態において諸元として示した数値は一例にすぎず、これらを適宜異なる値に設定してもよいことはもちろんである。
【図面の簡単な説明】
【００６２】
【図１】本願発明の一実施形態に係る橋梁の架設方法の概要を示す工程図であって、架設途中の多径間連続橋を橋軸直交方向から見て示す側面図
【図２】上記架設途中の多径間連続橋を橋軸直交断面で示す図であって、同図（ａ）は図１のIIa-IIa線断面図、同図（ｂ）は図１のIIb-IIb 線断面図、同図（ｃ）は図１のIIc-IIc 線断面図
【図３】上記架設途中の多径間連続橋を橋軸直交断面で示す、図１のIII-III 線断面図
【図４】図３のIV方向矢視図
【図５】図１（ａ）の工程を示す斜視図
【図６】図１（ｂ）の工程を示す斜視図
【図７】図１（ｃ）の工程を示す斜視図
【図８】図１（ｄ）の工程を示す斜視図
【図９】従来例を示す、図１と同様の図
【符号の説明】
【００６３】
１０  多径間連続橋
１２  橋桁
１４、１４Ａ、１４Ｂ、１４Ｃ、１４Ｄ  箱桁コア部
１６、３８  中間床版
１８、４０  張出し床版
２０  プレキャスト板
２２  コンクリート
２４、３４  コアセグメント
３０  橋脚
３２  柱頭部セグメント
３６  横桁
４２  目地
４４  外ケーブル
５０  支承
１１０  架設用ガーダ
１１２  レール
１１４  台車
１１６  架台
１１８  仮受け架台
１２０  ガーダ本体
１２２  支柱
１２４  先端支柱
１２６  可動梁
１２８  吊り具
１３０  足場
Ｓ０  架設径間
Ｓ＋１  前方側径間
Ｓ−１  後方側径間
【図１】
2008297777.tif 000003
【図２】
2008297777.tif 000004
【図３】
2008297777.tif 000005
【図４】
2008297777.tif 000006
【図５】
2008297777.tif 000007
【図６】
2008297777.tif 000008
【図７】
2008297777.tif 000009
【図８】
2008297777.tif 000010
【図９】
2008297777.tif 000011